(57)【要約】      （修正有）【課題】イヤリングを転用するものであって、長い期間の使用に耐えられるフリーサイズ指輪を提供する。【解決手段】一方の主装飾体１と他方の挟着部材とに一対の取付脚部３、４と取付基部５とを形成するとともに、一対の取付脚部３、４と取付基部５との間に１枚もしくは２枚の弾性を有する平滑な金属板材を介装してこれらを軸着し、前記金属板材とともに該軸部を加締めてなるフリーサイズ指輪であって、取付基部５は前記金属板材の直径よりも細い幅に形成されており、一方の主装飾体１と他方の挟着部材とにそれぞれ形成された取付脚部３、４と取付基部５とが相対的に回動する際、前記金属板材は取付基部５との当接部分に掛かる負荷で取付基部５の幅方向の端縁との交差部分が内向きにたわみ、該たわみ部分が取付基部５の前記端縁との間で係合するようにしたことを特徴とする。【選択図】図１
0003200647.tif 000002
【実用新案登録請求の範囲】
【請求項１】
一方の主装飾体と他方の挟着部材とに一対の取付脚部と取付基部とを形成するとともに、前記一対の取付脚部と取付基部との間に１枚もしくは２枚の弾性を有する平滑な金属板材を介装してこれらを軸着し、前記金属板材とともに該軸部を加締めてなるフリーサイズ指輪であって、前記取付基部は前記金属板材の直径よりも細い幅に形成されており、一方の主装飾体と他方の挟着部材とにそれぞれ形成された取付脚部と取付基部とが相対的に回動する際、前記金属板材は前記取付基部との当接部分に掛かる負荷で前記取付基部の幅方向の端縁との交差部分が内向きにたわみ、該たわみ部分が前記取付基部の前記端縁との間で係合するようにしたことを特徴とするフリーサイズ指輪。
【請求項２】
前記平滑な金属板材の直径が、前記一対の取付脚部の輪郭内に収容される寸法から前記一対の取付脚部の輪郭よりもやや大きい寸法の範囲を有するようにしたことを特徴とする請求項１記載のフリーサイズ指輪。
【請求項３】
前記平滑な金属板材は、その厚さを０．１〜０．２５ｍｍの範囲のものとしたことを特徴とする請求項１または２記載のフリーサイズ指輪。
【請求項４】
前記取付基部の幅方向の端縁が前記金属板材の輪郭を横切る交差線を、前記取付基部の幅方向の両側に配置したことを特徴とする請求項１ないし３のいずれかに記載のフリーサイズ指輪。
【考案の詳細な説明】
【技術分野】
【０００１】
この考案はフリーサイズ指輪に関するものである。
【背景技術】
【０００２】
本考案者は、従来から新規なクリップ式イヤリングを提案してきた。
すなわち、特願２００９−２３１０５９号（特開２０１１−７８４６０号公報、特許文献１参照）において、一方の主装飾体と他方の挟着部材とに一対の取付脚部と取付基部とを形成するとともに、前記一対の取付脚部と取付基部との間に１枚もしくは２枚の弾性を有する平滑な円形金属板材を介装してこれらを軸着し、前記円形金属板材とともに該軸部を加締めてなるイヤリングであって、前記取付基部は前記円形金属板材の直径よりも細い幅に形成されており、一方の主装飾体と他方の挟着部材とにそれぞれ形成された取付脚部と取付基部とが相対的に回動する際、前記円形金属板材は前記取付基部との当接部分に掛かる負荷で前記取付基部の幅方向の端縁との交差部分が内向きにたわみ、該たわみ部分が前記取付基部の前記端縁との間で係合するようにしたことを特徴とするイヤリングを提案している。
【先行技術文献】
【特許文献】
【０００３】
【特許文献１】特開２０１１−７８４６０号公報
【考案の概要】
【考案が解決しようとする課題】
【０００４】
この考案のフリーサイズ指輪は従来のイヤリングをフリーサイズ指輪に転用するものであって、一対の取付脚部と取付基部との間に介装される１枚もしくは２枚の平滑な金属板材として前記一対の取付脚部の輪郭内に収容される面積のものを使用するとともに、前記取付基部は前記金属板材の直径よりも細い幅に形成されており、一方の主装飾体と他方の挟着部材とにそれぞれ形成された取付脚部と取付基部とが相対的に回動する際、前記金属板材にかかる負荷が前記取付基部の幅方向の端縁との交差部分にかかって大きな挟着力が得られ、長い期間の使用に耐えられるフリーサイズ指輪を提供しようとするものである。
【課題を解決するための手段】
【０００５】
すなわちこの考案のフリーサイズ指輪は、一方の主装飾体と他方の挟着部材とに一対の取付脚部と取付基部とを形成するとともに、前記一対の取付脚部と取付基部との間に１枚もしくは２枚の弾性を有する平滑な金属板材を介装してこれらを軸着し、前記金属板材とともに該軸部を加締めてなるフリーサイズ指輪であって、前記取付基部は前記金属板材の直径よりも細い幅に形成されており、一方の主装飾体と他方の挟着部材とにそれぞれ形成された取付脚部と取付基部とが相対的に回動する際、前記金属板材は前記取付基部との当接部分に掛かる負荷で前記取付基部の幅方向の端縁との交差部分が内向きにたわみ、該たわみ部分が前記取付基部の前記端縁との間で係合するようにしたことを特徴とするものである。
【０００６】
この考案のフリーサイズ指輪において、前記平滑な金属板材の直径が、前記一対の取付脚部の輪郭内に収容される寸法から前記一対の取付脚部の輪郭よりもやや大きい寸法の範囲を有するようにしたことをも特徴とするものである。
【０００７】
この考案のフリーサイズ指輪において、前記平滑な金属板材は、その厚さを０．１〜０．２５ｍｍの範囲のものとしたことをも特徴とするものである。
【０００８】
この考案のフリーサイズ指輪において、前記取付基部の幅方向の端縁が前記金属板材の輪郭を横切る交差線を、前記取付基部の幅方向の両側に配置したことをも特徴とするものである。
【考案の効果】
【０００９】
以上のようにこの考案においては、一方の主装飾体と他方の挟着部材とに一対の取付脚部と取付基部とを形成し、前記一対の取付脚部と取付基部との間に１枚もしくは２枚の弾性を有する平滑な金属板材を介在させ、前記取付基部は前記金属板材の直径よりも細い幅に形成されており、一方の主装飾体と他方の挟着部材とにそれぞれ形成された取付脚部と取付基部とが相対的に回動する際、前記金属板材にかかる負荷が前記取付基部の幅方向の端縁との交差部分にかかるようにしたものである。
そうすることによって、意外にも挟着力が大幅に向上し、しかもその挟着力が極めて長期間にわたって保持されるという顕著な効果を奏することが可能となり、この種の製品の弱点であった挟着力の持続に関する問題点を根本的に解消することに成功したのである。
【００１０】
この考案におけるフリーサイズ指輪が、指への挟着力が従来に比して飛躍的に高まり、しかもその挟着力が長期間一定に保持されることとなるという機能については、前記金属板材にかかる負荷が前記取付基部の幅方向の端縁との交差部分に作用して金属板材がたわむことに起因する金属板材の弾性が微妙に作用し、そのような顕著な効果を奏することができるようになったものと考えられる。
また、前記取付基部の幅方向の端縁との交差部分に金属板材の板面が線状に接触して係合することによる摩擦が、挟着力の向上等に影響していることも考えられる。
ちなみに、従来の単にワッシャを介在させたフリーサイズ指輪では、数十回〜百数十回くり返して開閉操作すると挟着力の低下が見られたのに対し、この考案におけるフリーサイズ指輪では数百回の開閉操作でも挟着力の低下がまったく見られず、挟着力自体も従来のワッシャ型のフリーサイズ指輪よりも格段に優れていたのである。
【図面の簡単な説明】
【００１１】
【図１】この考案のフリーサイズ指輪の１実施例を示す側面図である。
【図２】両側の挟着部材を開いた状態の斜視図である。
【図３】軸着部分の分解状態の断面図である。
【図４】それを組み付けた状態の断面図である。
【図５】軸着部分の拡大図である。
【図６】それを開いた状態の拡大図である。
【図７】軸着部分の別の例を示す拡大図である。
【図８】軸着部分のさらに別の例を示す拡大図である。
【図９】軸着部分の断面構造の１例を示す要部断面図である。
【図１０】軸着部分の断面構造の別の例を示す要部断面図である。
【考案を実施するための形態】
【００１２】
以下、この考案のフリーサイズ指輪の実施の形態を図面に基いてより詳しく説明する。
【００１３】
図１ないし図６に示す実施例において、１は主装飾体であり、２は副装飾体であって、その全体形状はほぼ同じ円弧状で、組み付けた状態ではリング状をなし、この例では前面側にそれぞれダイヤモンド等からなる宝石１１が取り付けてある。もちろん、両者はいずれの側を指に向けて装着してもよい。また断面形状も適宜長方形やほぼ円弧状のいわゆる甲丸等とすることができる。なお素材としてはともに金（Ｋ−１８等）やプラチナ、銀等が使用可能である。
前記主装飾体１の連結部分には一対の取付脚部３，４が一体に備えられ、これと対向して副装飾体２の連結部分には前記取付脚部３，４間に嵌り合う取付基部５が一体に形成されている。
【００１４】
そして、これらに開けられた貫通孔６，７にピン８を挿通し、この部位を加締めることとなるが、この際、取付脚部３，４と取付基部５との間に、厚さ０．１〜０．２５ｍｍ、好ましくは厚さ０．１５ｍｍのステンレス製等の、弾性のある１枚もしくは２枚の平滑な金属板材９を介して加締めたものである。
平滑な金属板材９の厚さを０．１〜０．２５ｍｍの範囲のものとした理由は、０．１ｍｍ以下の場合にその弾性が生かせなくなってしまうためである。また０．２５ｍｍ以上の場合には、金属板材９そのものの弾性がなくなってしまうためである。
金属板材９は１枚もしくは２枚であればよいが、２枚であっても経済性や組み付けの作業性等には問題がなく、挟着力の持続性を勘案すれば２枚とすることが望ましい。
【００１５】
この実施例においては、前記平滑な金属板材９の面積は、図５および図６に示すように、前記一対の取付脚部３，４の輪郭内に収容される広さに形成されている。他方、前記取付基部５は前記金属板材９の直径よりも細い幅に形成されている。
そして、一方の主装飾体１と他方の挟着部材２とにそれぞれ形成された取付脚部３，４と取付基部５とが相対的に回動する際、前記金属板材９にかかる負荷が前記取付基部５の幅方向の端縁１２との交差部分にかかるようにしてある。
図７の例では、前記平滑な金属板材９の直径は前記一対の取付脚部３，４の輪郭よりもやや大きい寸法の範囲を有するようにしてある。さらに、図８の例では、リング状のフリーサイズ指輪の内周側のみが前記一対の取付脚部３，４の輪郭よりもやや大きい寸法であり、リング状のフリーサイズ指輪の外周側は前記一対の取付脚部３，４の輪郭とほぼ等しい寸法に形成されている。
なお、前記取付基部５の幅方向の端縁１２が前記金属板材９の輪郭を横切る交差線を、前記取付基部５の幅方向の両側に配置しておくことが望ましい。
また、前記取付基部５の幅方向の端縁１２は、円弧状をなす副装飾体２とほぼ同じ曲率の円弧状に形成されている。したがって、前記金属板材９の輪郭を横切る交差線も円弧状をなしてこすれ合うようになっており、この円弧状に形成された交差線も、挟着力の持続に寄与しているものと考えられる。
【００１６】
図９に示すように、前記取付基部５の先端部分は、前記取付脚部３，４の幅方向に向けていわゆるテーパ状に形成されている。
そして、該取付基部５の先端部分のテーパ部分にかかる負荷と、前記取付脚部３，４の内面において、前記金属板材９に前記取付基部５の幅方向の端縁１２との交差部分に重点的にかかる負荷とがあいまって、挟着力が長期間一定に保持されることとなるものと考えられる。
【００１７】
図１０は、前記取付基部５の先端部分は、前記取付脚部３，４の内奥方向に向けていわゆるテーパ状に形成されている。
この例でも、図９の場合と同様に、該取付基部５の先端部分のテーパ部分にかかる負荷と、前記取付脚部３，４の内面において、前記金属板材９に前記取付基部５の幅方向の端縁１２との交差部分に重点的にかかる負荷とがあいまって、挟着力が長期間一定に保持されることとなるものと考えられる。
【００１８】
この実施例におけるフリーサイズ指輪が、指を確実に挟着する力が従来に比して飛躍的に高まり、しかもその挟着力が長期間一定に保持されることとなるという機能については、軸部を締めた際に、金属板材９に前記取付基部５の幅方向の端縁１２との交差部分において、１枚もしくは２枚の金属板材９がたわんで係合することに起因する金属板材９の弾性が微妙に作用し、そのような顕著な効果を奏することができるようになったものと考えられる。
また、前記取付基部５の円弧状をなす幅方向の端縁１２と金属板材９の板面との摩擦が、挟着力の向上等に影響していることも考えられる。
【００１９】
ちなみに、従来の単にワッシャを介在させたフリーサイズ指輪では、数十回〜百数十回くり返して開閉操作すると挟着力の低下が見られたのに対し、この実施例におけるフリーサイズ指輪では数百回の開閉操作でも挟着力の低下がまったく見られず、挟着力自体も従来のワッシャ型のフリーサイズ指輪よりも格段に優れていたのである。
【産業上の利用可能性】
【００２０】
この考案は以上の通り、前記取付基部が前記金属板材の直径よりも細い幅に形成されており、一方の主装飾体と他方の挟着部材とにそれぞれ形成された取付脚部と取付基部とが相対的に回動する際、前記金属板材にかかる負荷が前記取付基部の幅方向の端縁との交差部分にかかるようにしたものである。
したがって、図示したような円弧状の挟着部材を用いた場合のみならず、その他のデザインや、一定の範囲以上には開かないようにするストッパを備えたフリーサイズ指輪等にも適用可能であることはいうまでもない。
【符号の説明】
【００２１】
１  主装飾体
２  副装飾体
３，４  取付脚部
５  取付基部
６，７  貫通孔
８  ピン
９  金属板材
１１  宝石
１２  取付基部の幅方向の端縁
【図１】
0003200647.tif 000003
【図２】
0003200647.tif 000004
【図３】
0003200647.tif 000005
【図４】
0003200647.tif 000006
【図５】
0003200647.tif 000007
【図６】
0003200647.tif 000008
【図７】
0003200647.tif 000009
【図８】
0003200647.tif 000010
【図９】
0003200647.tif 000011
【図１０】
0003200647.tif 000012